(57)【要約】【課題】  タッチパネルを有する電子機器にて、指先のスライド方向に応じた処理（例えばボリュームUP／DOWN等）を行う場合、スライドさせる方向により認識感度を変える。【解決手段】  閾値設定部２０１は感度を高くするスライド方向を取得する。タッチパネル上で指先をスライドさせると、座標検出部２０３はその座標を検出し、スライド方向検出部２０４は受け取った座標値の変化から指先がどの方向にスライドしているかを判定する。操作指令判定部２０６は、前記閾値設定部２０１から出力された順方向閾値と逆方向閾値を取得し、前記タッチ継続カウント部２０５からの指先のスライド方向とその移動量を取得する。いずれかの閾値を越えた場合に、その方向についてユーザから操作指令があったものと判定し、機器制御部であるマスターマイコン１００に対して操作指令を出力する。【選択図】  図１
2006277588.tif 000002
【特許請求の範囲】
【請求項１】
パネル表面に対する接触動作を検出し、この接触動作が順方向と逆方向のいずれのスライド方向かを判別して、順方向と逆方向の各スライド方向ごとに所定の操作指令を出力するタッチパネルにおいて、
パネル表面に対する接触動作を検出するスイッチ検出部と、このスイッチ検出部からの信号を受けて接触位置を判定する座標検出部と、この座標検出部からの信号を受けて接触動作のスライド方向を検出するスライド方向検出部と、前記座標検出部からの信号を受けて接触動作に関する値を検出するカウント部と、前記接触動作に関する値が一定値に達した場合に操作指令を出力するための閾値を順方向と逆方向とで異なった値に設定する閾値設定部とを備え、
前記カウント部からの接触時間と前記閾値設定部から取得した順方向と逆方向の閾値とに基づいて、順方向と逆方向とで異なる接触動作に関する値に従って操作指令を出力する操作指令判定部を備えていることを特徴とするタッチパネル。
【請求項２】
パネル表面に対する接触動作を検出し、この接触動作が順方向と逆方向のいずれのスライド方向かを判別して、順方向と逆方向の各スライド方向ごとに所定の操作を実行させるタッチパネルを備えた電子機器において、
パネル表面に対する接触動作を検出するスイッチ検出部と、このスイッチ検出部からの信号を受けて接触位置を判定する座標検出部と、この座標検出部からの信号を受けて接触動作のスライド方向を検出するスライド方向検出部と、前記座標検出部からの信号を受けて接触動作のスライド量を検出するカウント部と、スライド量が一定値に達した場合に操作指令を出力するための閾値を順方向と逆方向とで異なった値に設定する閾値設定部とを備え、
前記カウント部からのスライド量と前記閾値設定部から取得した順方向と逆方向の閾値とに基づいて、順方向と逆方向とで異なるスライド量に従って操作指令を出力する操作指令判定部を備えていることを特徴とするタッチパネルを備えた電子機器。
【請求項３】
パネル表面に対する接触動作を検出し、この接触動作が順方向と逆方向のいずれのスライド方向かを判別して、順方向と逆方向の各スライド方向ごとに所定の操作を実行させるタッチパネルを備えた電子機器において、
パネル表面に対する接触動作を検出するスイッチ検出部と、このスイッチ検出部からの信号を受けて接触位置を判定する座標検出部と、この座標検出部からの信号を受けて接触動作のスライド方向を検出するスライド方向検出部と、前記座標検出部からの信号を受けて接触動作開始からの接触時間を検出するカウント部と、接触時間が一定値に達した場合に操作指令を出力するための閾値を順方向と逆方向とで異なった値に設定する閾値設定部とを備え、
前記カウント部からの接触時間と前記閾値設定部から取得した順方向と逆方向の閾値とに基づいて、順方向と逆方向とで異なる接触時間に従って操作指令を出力する操作指令判定部を備えていることを特徴とするタッチパネルを備えた電子機器。
【請求項４】
前記閾値設定部が、逆方向の閾値を順方向の閾値よりも小さな値に設定することにより、逆方向の接触動作によって実行される操作が、順方向の接触動作によって実行される操作よりも、接触動作の少ない値で実行されることを特徴とする請求項２または請求項３に記載のタッチパネルを備えた電子機器。
【発明の詳細な説明】
【技術分野】
【０００１】
本発明は、スライド式タッチパネル及びスライド式タッチパネルを有する電子機器に関するもので、特に、タッチパネルを有するオーディオ装置などの電子機器において、タッチパネル上スライド操作により、スライド方向に応じた処理（例えばボリュームUP／DOWN等）を行う場合、スライドさせる方向により認識感度を変えるように処理する技術に係る。
【背景技術】
【０００２】
コンピュータ、オーディオ装置、自動券売機、ＡＴＭなどの電子機器の入力装置として、タッチパネルが広く使用されている。このタッチパネルは、表示装置の表示画面の前面に透明なタッチセンサ（タッチパネル）を設置し、該タッチセンサ上から前記表示画面に表示されたアイコンを指などで接触することにより、一つの動作を指令することが従来から可能にされている。すなわち、この種のタッチパネルは、一つの図形（アイコン）に一つの動作を対応させ、該図形を表示装置の画面に複数表示し、前記アイコンの中から指示する動作に対応させたアイコンを選択して一つの動作を指令するものである。
【０００３】
ところで、最近、単に一つのアイコンを触るだけでなく、タッチパネルの表面に沿って一定時間（あるいは一定距離）指先をスライドさせることにより、所定の操作を実行させるタイプのタッチパネルも提案されている（特許文献１から特許文献３を参照）。この種のタッチパネルは、指先のスライド量により操作量を制御することができるため、電子機器のボリュームなどのように単なるオン・オフ操作では制御することができないような部分に有効である。
【特許文献１】特開2002-116880公報
【特許文献２】特開2005-032015公報
【特許文献３】特開2005-031786公報
【発明の開示】
【発明が解決しようとする課題】
【０００４】
ところで、このようなスライド量を検出するタイプとして知られる従来技術のタッチパネルにおいては、指先のスライド量とこれによって操作される電子機器側の操作量とが、往復いずれの方向にも相等しく設定されていた。例えば、電子機器のボリュームを操作する場合に、ボリュームを増加する方向と減少する方向とでは、同じスライド量で同じボリュームの増減がなされていた。
【０００５】
しかし、人間工学的見地からすると、上から下へのスライド操作は比較的行い易いが、逆に、下から上へのスライド操作は、手の構造に起因して行い難くなっている（スライド移動量を大きくできない）。また、左右方向にスライド操作において、操作者の身体から手が遠ざかる方向へのスライド操作（左手で操作する場合には、右から左方向へのスライド）も行いにくいという傾向にある。
【０００６】
例えば、オーディオ装置を例にとって具体的に述べると、次の通りである。
(a) 上下スライド操作を行うオーディオ装置が、運転者視線よりも下方に設置されていた場合、上→下スライドは操作し易く、下→上スライドは操作しにくい。
(b) 左右スライド操作を行うオーディオ装置を設置した場合、通常運転者の体に近い側へのスライド操作は操作しやすく、体から離れる側のスライドは操作しにくい。すなわち、（左手で操作する場合、左→右は操作し易く、右→左は操作しにくい。右手は逆。）操作しにくい側のキースライドは、操作しやすい側のスライドに比べ、ユーザの操作ミスも多く、ユーザはスライド受付が悪いと感じてしまう。
【０００７】
その結果、従来技術のタッチパネルでは、下から上方向（或いは、前記の例における右から左方向）へのスライド操作を行っていると思っているにも関わらず、実際にはそのスライド操作が思うように行えておらず、その結果、操作者の希望通りの処理が実行されないという問題が生じることが考えられる。
【０００８】
本発明は、以上の課題を解消するために提案されたものであり、スライド操作を行い易い方向に対して、行いにくい方向へのスライド操作の検出感度を上げることにより、より操作者の意思に忠実に反応するタッチパネルを備えた電子機器を提供することを目的とする。また、本発明は、スライド操作の検出感度を上げる方向は、電子機器の設置場所や使用環境に応じて、任意に設定を変更できるようにしたタッチパネル及びそれを使用した電子機器を提供することを目的とする。
【課題を解決するための手段】
【０００９】
上述した目的を達成するために、請求項１の発明は、パネル表面に対する接触動作を検出し、この接触動作が順方向と逆方向のいずれのスライド方向かを判別して、順方向と逆方向の各スライド方向ごとに所定の操作指令を出力するタッチパネルにおいて、パネル表面に対する接触動作を検出するスイッチ検出部と、このスイッチ検出部からの信号を受けて接触位置を判定する座標検出部と、この座標検出部からの信号を受けて接触動作のスライド方向を検出するスライド方向検出部と、前記座標検出部からの信号を受けて接触動作に関する値を検出するカウント部と、前記接触動作に関する値が一定値に達した場合に操作指令を出力するための閾値を順方向と逆方向とで異なった値に設定する閾値設定部とを備え、前記カウント部からの接触時間と前記閾値設定部から取得した順方向と逆方向の閾値とに基づいて、順方向と逆方向とで異なる接触動作に関する値に従って操作指令を出力する操作指令判定部を備えていることを特徴とする。
【００１０】
請求項２の発明は、パネル表面に対する接触動作を検出し、この接触動作が順方向と逆方向のいずれのスライド方向かを判別して、順方向と逆方向の各スライド方向ごとに所定の操作を実行させるタッチパネルを備えた電子機器において、パネル表面に対する接触動作を検出するスイッチ検出部と、このスイッチ検出部からの信号を受けて接触位置を判定する座標検出部と、この座標検出部からの信号を受けて接触動作のスライド方向を検出するスライド方向検出部と、前記座標検出部からの信号を受けて接触動作のスライド量を検出するカウント部と、スライド量が一定値に達した場合に操作指令を出力するための閾値を順方向と逆方向とで異なった値に設定する閾値設定部とを備え、前記カウント部からのスライド量と前記閾値設定部から取得した順方向と逆方向の閾値とに基づいて、順方向と逆方向とで異なるスライド量に従って操作指令を出力する操作指令判定部を備えていることを特徴とする。
【００１１】
請求項３の発明は、パネル表面に対する接触動作を検出し、この接触動作が順方向と逆方向のいずれのスライド方向かを判別して、順方向と逆方向の各スライド方向ごとに所定の操作を実行させるタッチパネルを備えた電子機器において、パネル表面に対する接触動作を検出するスイッチ検出部と、このスイッチ検出部からの信号を受けて接触位置を判定する座標検出部と、この座標検出部からの信号を受けて接触動作のスライド方向を検出するスライド方向検出部と、前記座標検出部からの信号を受けて接触動作開始からの接触時間を検出するカウント部と、接触時間が一定値に達した場合に操作指令を出力するための閾値を順方向と逆方向とで異なった値に設定する閾値設定部とを備え、前記カウント部からの接触時間と前記閾値設定部から取得した順方向と逆方向の閾値とに基づいて、順方向と逆方向とで異なる接触時間に従って操作指令を出力する操作指令判定部を備えていることを特徴とする。
【００１２】
請求項４の発明は、前記閾値設定部が、逆方向の閾値を順方向の閾値よりも小さな値に設定することにより、逆方向の接触動作によって実行される操作が、順方向の接触動作によって実行される操作よりも、接触動作の少ない値で実行されることを特徴とする。
【発明の効果】
【００１３】
以上述べたように、本発明によれば、操作しやすい側のスライド操作移動量よりも、しにくい側のスライド操作移動量を、短い距離で検出することで、双方向の操作感に違和感がなくなるようにする。この処理により、スライド操作によるユーザへの負担（操作感の差違・操作ミス）を軽減することができる。また、スライド量の代わりに、指先の接触時間の長短によっても順方向と逆方向の感度を変えることができ、そのような場合でも同様な効果を得られる。
【発明を実施するための最良の形態】
【００１４】
続いて、本発明を実施するための最良の形態（以下「実施形態」という）について、図面を参照して具体的に説明する。なお、この実施形態は、車載用のオーディオ装置に本発明のスライド式タッチパネルを適用した事例である。また、本実施形態では、タッチパネルを指先で操作しているが、これは一例であり、ペンタッチタイプなどその他の手法で操作を行うタッチパネルにも本発明は適用可能である。
【００１５】
［１．タッチパネルを備えた電子機器の構成］
【００１６】
図１は、スライド式タッチパネルを備えた電子機器の一例である車載用音響機器本体１とＤＣＰ１５との機能的構成を示すブロック図である。同図に示すように、車載用音響機器本体１は、大別すると、マスターマイコン１００と、ラジオ受信部１１０と、再生部１２０と、記録媒体読取部１３０とを備えている。マスターマイコン１００は、車載用音響機器本体１の各部と、ＤＣＰ１５との制御を実行するものであり、ＲＯＭやＲＡＭ等の記憶媒体を内蔵しており、当該ＲＯＭには、制御用プログラム等が格納されている。
【００１７】
ラジオ受信部１１０は、ＡＭ／ＦＭ波のラジオ電波を受信するものであり、アンテナ１１１と、チューナ回路１１２とを備え、チューナ回路１１２は、マスターマイコン１００の指令に基づいてラジオ電波を受信し、再生部１２０に出力する。再生部１２０は、電子ボリューム回路１２１と、ミュート回路１２２と、外部スピーカＳＰに接続されたアンプ１２３とを備えている。ミュート回路１２２は、外部サウンド装置１６０が車載用音響機器本体１に接続された場合などにマスターマイコン１００の指令に基づいてアンプ１２３からの再生音の信号出力を遮断するものである。
【００１８】
上記電子ボリューム回路１２１には、外部サウンド装置１６０の外部サラウンドデコーダ１６１が接続され、この電子ボリューム回路１２１は当該外部サラウンドデコーダ１６１が接続されている場合に、ミュート回路１２２への信号出力と共に、外部サラウンドデコーダ１６１へも信号を出力する。
【００１９】
外部サラウンドデコーダ１６１は、外部アンプユニット１６２に接続され、この外部アンプユニット１６２は外部スピーカＳＰ’音声信号を出力する。記録媒体読取部１３０は、ＣＤの読み取り、及び、メモリ（メモリカード等）の読み書きを行うものであり、ＤＳＰ（ＤｉｇｉｔａｌＳｉｇｎａｌＰｒｏｃｅｓｇｏｒ）１３１とメカマイコン１３２とを備えている。ＤＳＰ１３１は、ＣＤ及びメモリから読み出した音楽データ等をデコードして再生部１２０に出力すると共に、メモリへの書込み時には、エンコードしたデータをメモリに書き込むものである。
【００２０】
メカマイコン１３２は、ＣＤのディスク回転数制御やトラッキング制御などを、図示せぬディスク回転モータの回転に同期したパルス信号及び図示せぬ光ピックアップからの信号フィードバック制御により実行するものである。
【００２１】
ＤＣＰ１５は、表示用の液晶パネル１９と、操作用のタッチパネル２０及び操作キー２１とを備えていると共に、ＤＣＰ１５の各部を制御する表示マイコン１５２と、当該表示マイコン１５２の指示に基づいて液晶パネル１９に各種情報表示を行うＬＣＤドライバ１５１とを有している。ＤＣＰ１５が備えるタッチパネル２０抵抗膜方式のタッチパネルが用いられている。タッチパネル２０の透明度（光透過度）は高く、下面に配置された液晶パネル１９の表示がタッチパネル２０を通して視認可能となっている。また、抵抗膜方式のタッチパネルにあっては、その表面を手などで触ると、その接触点の位置座標に応じた電圧の信号が出力され、かかる信号に基づいて表示マイコン１５２によって接触点座標が特定される。
【００２２】
［２．タッチパネルの構成］
次に、前記のような構成を有する車載用音響機器のボリューム操作用として使用される本実施形態のタッチパネルの構成を図２により説明する。タッチパネルには、抵抗膜式、光学式、音響式など様々な種類があるが、本発明は、パネルに多数の接点をマトリックス上に配置したものであればどの種のタッチパネルにおいても使用可能である。本実施形態では、タッチパネルを指先で操作しているが、これは一例であり、ペンタッチタイプなどその他の手法で操作を行うタッチパネルにも本発明は適用可能である。
【００２３】
このタッチパネル２０は、画像表示部を構成する前記液晶パネル１９の前面に配置されたものであって、タッチパネル２０の操作時にどちらのスライド方向の感度を高くするかを設定するための閾値設定部２０１が設けられている。本実施形態では、閾値設定部２０１は、機器制御部を構成するマスターマイコン１００に対してユーザが機器の取付位置や操作方向を入力することにより、感度を高くするスライド方向を取得する。
【００２４】
この閾値設定部２０１は、後述する操作指令判定部２０６に対して、ユーザの設定した取付位置情報に対応して、指先を操作しやすい方向にスライドさせた場合の低い検出感度を設定する順方向閾値（例えば、１０ドット分の座標値）と、指先を操作しにくい方向にスライドさせた場合の高い検出感度を設定する逆方向閾値（例えば、５ドット分の座標値）とを出力するものである。
【００２５】
タッチパネル２０には、パネル上にユーザの指先などが触れたことを検出するスイッチ検出部２０２と、このスイッチ検出部２０２からの信号を受けて、ユーザのタッチ位置がパネル上のどの座標に相当するかを判別する座標検出部２０３を備えている。この座標検出部２０３は、スライド方向検出部２０４に接続されている。このスライド方向検出部２０４は、前記座標検出部２０３からの検出座標値を順次取得し、その座標値の変化する傾向を調べることにより、ユーザの指先がタッチパネルの左右または上下いずれの方向にスライドしているかを判定するものである。
【００２６】
このスライド方向検出部２０４は、タッチ継続カウント部２０５に接続されている。このタッチ継続カウント部２０５は、前記座標検出部２０３からの検出座標値と前記スライド方向検出部２０４からの指先のスライド方向とを順次取得して、タッチパネルに接触した指先がそのスライド方向にどの程度の距離を移動したかを判別するために、最初の接触位置からの座標値の変化量をカウントするものである。このタッチ継続カウント部２０５のカウント値は、操作指令判定部２０６に出力される。
【００２７】
操作指令判定部２０６は、前記閾値設定部２０１から出力された順方向閾値と逆方向閾値を取得し、前記タッチ継続カウント部２０５からの指先のスライド方向とその移動量を取得し、いずれかの閾値を越えた場合に、その方向についてユーザから操作指令があったものと判定し、機器制御部であるマスターマイコン１００に対して操作指令（本実施形態ではボリュームの増減操作指令）を出力するものである。
【００２８】
［３．実施形態の作用］
前記のような構成を有する本実施形態の作用を、図３のフローチャート、図４に示すタッチパネル表示例に基づいて具体的に説明する。
【００２９】
図４は、本発明を上下方向のスライド操作によりボリューム（音量）調整を行う車載用音響機器に適用した事例である。すなわち、音量調整は、タッチパネル領域において、下から上方向（音量増加）あるいは上から下方向（音量減少）へのスライド操作により行う。このとき、少ない移動量でも操作を認識するように下から上方向のスライド操作の検出感度を、上から下方向へのスライド操作における検出感度よりも高くする。
【００３０】
そのため、閾値設定部２０１により、上から下へのスライド方向を順方向、上から下へのスライド方向を逆方向と設定する。この順方向と逆方向の設定情報は、操作指令判定部２０６に出力され、指先が上から下へスライドした場合の閾値として１０ドットが、シミュレータから上へスライドした場合の閾値として５ドットが設定される。
【００３１】
このようにして順逆の閾値が設定された状態で（図３のステップ１）、図４のようなタッチパネル２０を利用して車載用音響機器のボリュームが操作されると、タッチパネル２０のスイッチ検出部２０２がこれを検出し（ステップ２）、その信号を受けて座標検出部２０３が最初に指先が接触したパネルの座標値を取得する（ステップ３）。
【００３２】
ユーザがボリューム操作のためにタッチパネル上で指先をスライドさせると、スイッチ検出部２０２はその情報を順次座標検出部２０３に送るので、座標検出部２０３はこれをスライド方向検出部２０４に送り、スライド方向検出部２０４は受け取った座標値の変化から指先がどの方向にスライドしているかを判定する（ステップ４のＹＥＳ、ステップ５）。なお、ユーザが指先をスライドさせない場合には座標値の変化がないので、スライド方向検出部２０４はスライドの有無を検出できないので（ステップ４のＮＯ）、ステップ２に戻り次の接触を待つ。
【００３３】
スライド方向検出部２０４により、指先がタッチパネルのどの方向（上方向か下方向ノのいずれか）にスライドしているかが判別されると、スライド方向が順方向であった場合には、その情報が操作指令判定部２０６に出力される。同時に前記座標検出部２０３からの最初の座標値とその後指先のスライド操作に伴い刻々と変化した座標値がタッチ継続カウント部２０５に送られ、このタッチ継続カウント部２０５では座標値の変化量がカウントされ、そのカウント数が操作指令判定部２０６に出力される。
【００３４】
前記スライド方向検出部２０４により、指先のスライド方向が順方向（上から下方向）と判定された場合、タッチ継続カウント部２０５による座標値のカウント量が順方向の閾値として設定された１０ドットに達すると（ステップ６のＹＥＳ）、これを操作指令判定部２０６は、順方向についての操作指令があったと判定し、機器制御部１００に対して電子ボリューム回路１２１のボリュームを増加させるように指令を出力する（ステップ８）。指先のスライド方向が順方向に設定されているにも拘わらず、カウント量が１０ドットに満たない場合には、操作指令判定部２０６は操作指令を出力せず、ステップ２に戻ってさらなる指先のスライドを待つ。
【００３５】
前記スライド方向検出部２０４により、指先のスライド方向が逆方向（下から上方向）と判定された場合は（ステップ５のＮＯ）、タッチ継続カウント部２０５による座標値のカウント量が逆方向の閾値として設定された５ドットに達すると（ステップ７のＹＥＳ）、これを操作指令判定部２０６は、逆方向についての操作指令があったと判定し、機器制御部１００に対して電子ボリューム回路１２１のボリュームを減少させるように指令を出力する（ステップ８）。この場合も、前記順方向と同様に、カウント量が５ドットに満たない場合には、操作指令判定部２０６は操作指令を出力せず、ステップ２に戻ってさらなる指先のスライドを待つ。
【００３６】
［４．実施形態の効果］
以上の通り、本実施形態によれば、ユーザの操作しやすい方向と操作しにくい方向とで、操作指令を出力するための閾値を異なった値に設定することにより、タッチパネルの感度を指先のスライド方向に対応して異ならせることができる。その結果、操作しにくい下から上方向に指先をスライドさせた場合でも、確実にボリューム操作を実行でき、ユーザが違和感を覚えたり、操作ミスを起こすなどの不都合が解消される。
【００３７】
［５．他の実施形態］
図５に示すタッチパネル表示例、及び図６の機器取付配置図は、本発明の他の実施形態の一つを具体的に説明するものである。この実施形態は、車載用ラジオの受信周波数変更操作に本発明を適用したものである。この実施形態において、音源としてラジオが選択されている場合の受信周波数の変更は、図５に示すように、タッチパネル領域において、左から右方向（受信周波数を大きくする）、或いは、右から左方向（受信周波数を小さくする）へのスライド操作により行う。
【００３８】
すなわち、乗用車などの車両では、その仕様により右ハンドル車と左ハンドル車が存在する。図６(a) に示すように、右ハンドル車のセンターコンソールに、本実施形態のタッチパネル付車載機器を設置（操作者である運転者の左側に車載機器を設置）した場合は、右から左方向のスライド操作の検出感度を、左から右方向へのスライド操作における検出感度よりも高くする（少ない移動量でも操作を認識する）ことが、操作者にとって違和感がなく、誤操作も少ない。そこで、このような電子機器の取付を行った場合には、前記閾値設定部２０１により、右から左方向の閾値を左から右方向の閾値に比較して小さく設定する。
【００３９】
一方、図６(b) に示すように、左ハンドル車のセンターコンソールに本実施形態のタッチパネル付車載機器を設置（操作者の右側に車載機器を設置）した場合には、操作しにくい方向が変わる（左から右方向の操作がしにくい）ため、この場合には、左から右方向のスライド操作の検出感度を高くする。すなわち、前記閾値設定部２０１により、左から右方向の閾値を右から左方向の閾値に比較して小さく設定する。
【００４０】
このように構成することで、車載用の電子機器のようにその取付位置がユーザの左右に異なる場合でも、常にユーザにとって操作しやすく誤操作の少ないタッチパネルを得ることができる。
【００４１】
本発明は、前記のような車載用音響機器のボリューム操作や選局操作に限定されるものではなく、タッチパネルを使用した電子機器の他の操作にも適用可能なものである。また、指先をスライドさせる方向は、上下、左右のみならず、斜め（対角線）方向のスライド操作に適用することも可能であって、ユーザにとって操作のしやすい方向としにくい方向がある場合全般に適用できる。
【００４２】
さらに、操作方向に応じて安全度が異なる場合（例えば、誤操作が危険を招くような機器では、危険性の高い操作については大きくスライドしないと操作指令を出力しないようにする）など、単に操作がしにくいというだけでなく、順方向と逆方向とで感度を変えることが有益な場合に広く適用できる。
【００４３】
前記各実施形態は、スイッチ検出部から取得する座標位置の変化量をタッチ継続カウント部で検出し、それを閾値と比較することにより順方向と逆方向で操作指令を出力するための感度を異ならせたが、座標位置の変化量に代えて、スライド時間によって操作指令の出力判定を行うことも可能である。すなわち、前記タッチ継続カウント部２０５にタイマを内蔵させておき、スイッチ検出部２０２で検出した最初の接触動作からの時間をこのタイマでカウントし、閾値設定部２０１からは順方向と逆方向とで異なった時間（例えば、順方向は０．８秒、逆方向は０．５秒）を閾値として設定しておくことにより、操作指令判定部２０６でカウントされた時間と閾値とを比較して、順方向と逆方向とで異なる感度により操作指令の出力判定を行うこともできる。
【図面の簡単な説明】
【００４４】
【図１】本発明の一実施形態の構成を示すブロック図。
【図２】図１の実施形態におけるタッチパネル部分の構成を示すブロック図。
【図３】図１の実施形態の動作を示すフローチャート。
【図４】図１の実施形態におけるタッチパネルの画面例を示す正面図。
【図５】本発明の他の実施形態におけるタッチパネルの画面例を示す正面図。
【図６】図５の実施形態における機器の取付位置を示す平面図。
【符号の説明】
【００４５】
１９…画像表示部
２０…タッチパネル
２０１…閾値設定部
２０２…スイッチ検出部
２０３…座標検出部
２０４…スライド方向検出部
２０５…タッチ継続カウント部
２０６…操作指令判定部
１００…機器制御部
１２１…電子ボリューム回路
１５１…表示制御部
１５２…表示マイコン
【図１】
2006277588.tif 000003
【図２】
2006277588.tif 000004
【図３】
2006277588.tif 000005
【図４】
2006277588.tif 000006
【図５】
2006277588.tif 000007
【図６】
2006277588.tif 000008